(57)【要約】  本発明は、空気調和機の自己洗浄の制御方法、及び装置を開示し、空気調和機の技術分野に属する。当該方法は、前記空気調和機の作用領域の現在の温度値および湿度値を取得するステップと、前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるステップと、を含む。このようにして、ファンを含む少なくとも一つのデバイスの動作を制御することによって、空気調和機の温度と湿度の両方に対する制御を実現した。
2020532700.tif 000002
【特許請求の範囲】
【請求項１】
空気調和機を制御する方法であって、
前記空気調和機の作用領域の現在の温度値および湿度値を取得するステップと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるステップと、を含む
ことを特徴とする空気調和機を制御する方法。
【請求項２】
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、設定策略に従って、前記現在の温度値および湿度値が設定要件に達するまで、前記空気調和機の、ファンを含む少なくとも一つのデバイスの現在の動作モードを切り替えるステップをさらに含む
ことを特徴とする請求項１に記載の空気調和機を制御する方法。
【請求項３】
前記設定策略に従って、前記空気調和機の、ファンを含む少なくとも一つのデバイスの現在の動作モードを切り替えるステップは、
前記空気調和機のファンが、第１の回転速度で、設定された第１の期間動作した後に、第１の回転速度未満の第２の回転速度に切り替えて動作するように、前記空気調和機のファンを制御するステップと、
前記のファンが、第２の回転速度で、設定された第２の期間動作した後に、第１の回転速度に切り替えて動作するように、前記のファンを制御するステップと、を含む
ことを特徴とする請求項２に記載の空気調和機を制御する方法。
【請求項４】
前記空気調和機の湿度パラメータに基づいて、前記現在の温度値および湿度値が設定要件に達するまで、前記空気調和機の、ファンを含む少なくとも一つのデバイスの現在の動作モードを切り替えるステップは、
前記空気調和機のファンが、第１の回転速度で第１の期間動作した後に、第１の回転速度未満の第２の回転速度に切り替えて動作するように、前記空気調和機のファンを制御するステップと、
前記のファンが、第２の回転速度で第２の期間動作した後に、第１の回転速度に切り替えて動作するように、前記のファンを制御するステップと、を含み、
ここで、前記第２の期間を確定する過程は、
現在の湿度パラメータ（PCｄ）と前のサイクルの湿度パラメータ（PCｍ）とに基づいて、湿度パラメータの変化値（ΔPC）を取得し、
式（１）に従って、前記第２の期間を確定することを含み、
T2＝(A×ΔPC+B*PCd)×C  …  式（１）
ここで、前記T2は、前記第２の期間であり、Ａ、Ｂ、Ｃは、修正する演算パラメータであり、
前記第１の期間（T1）は、設定期間、または、設定合計期間（T）と前記第２の期間（T2）との間の差分値である
ことを特徴とする請求項１に記載の空気調和機を制御する方法。
【請求項５】
前記前記空気調和機の、ファンを含む少なくとも一つのデバイスの現在の動作モードを切り替えるステップは、
前記ファンが第１の回転速度で動作すると、前記空気調和機の圧縮機の現在の動作周波数を、第１の周波数に切り替えて動作させるステップと、
前記ファンが第２の回転速度で動作すると、前記空気調和機の圧縮機の現在の動作周波数を、前記第１の周波数以上である第２の周波数に切り替えて動作させるステップと、をさらに含む
ことを特徴とする請求項３又は４に記載の空気調和機を制御する方法。
【請求項６】
前記現在の温度値および湿度値の中の現在の温度値と設定温度値との間の温度偏差が設定値よりも大きいと、前記温度偏差が設定値以下になるまで、前記空気調和機の圧縮機が設定周波数よりも大きい第２の周波数で動作するように、前記空気調和機の圧縮機を制御するステップをさらに含む
ことを特徴とする請求項１に記載の空気調和機を制御する方法。
【請求項７】
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にある場合、前記ファンの現在の動作モードを維持するステップをさらに含む
ことを特徴とする請求項１に記載の空気調和機を制御する方法。
【請求項８】
空気調和機を制御する装置であって、
前記空気調和機の作用領域の現在の温度値および湿度値を取得するための取得ユニットと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるための第１の制御ユニットと、を備える
ことを特徴とする空気調和機を制御する装置。
【請求項９】
前記第１の制御ユニットは、さらに、現在の温度値および湿度値の中の現在の温度値と設定温度値との間の温度偏差が設定値以下であり、且つ、現在の温度値および湿度値の中の現在の湿度値が設定温度値に対応される目標快適湿度範囲内にない場合、設定策略に従って、現在の温度値および湿度値が設定要件に達するまで、空気調和機の、ファンを含む少なくとも一つのデバイスの現在の動作モードを切り替える
ことを特徴とする請求項８に記載の空気調和機を制御する装置。
【請求項１０】
前記第１の制御ユニットは、さらに、前記空気調和機のファンが、第１の回転速度で、設定された第１の期間動作した後に、第１の回転速度未満の第２の回転速度に切り替えて動作するように、前記空気調和機のファンを制御し、または、前記のファンが、第２の回転速度で、設定された第２の期間動作した後に、第１の回転速度に切り替えて動作するように、前記のファンを制御する
ことを特徴とする請求項９に記載の空気調和機を制御する装置。
【請求項１１】
前記第１の制御ユニットは、さらに、前記空気調和機のファンが、第１の回転速度で第１の期間動作した後に、第１の回転速度未満の第２の回転速度に切り替えて動作するように、前記空気調和機のファンを制御し、また、前記のファンが、第２の回転速度で第２の期間動作した後に、第１の回転速度に切り替えて動作するように、前記のファンを制御し、ここで、前記第２の期間を確定する過程は、現在の湿度パラメータ（PCｄ）と前のサイクルの湿度パラメータ（PCｍ）とに基づいて、湿度パラメータの変化値（ΔPC）を取得し、式（１）に従って、前記第２の期間を確定することを含み、前記第１の期間（T1）は、設定期間、または、設定合計期間（T）と前記第２の期間（T2）との間の差分値であり、
T2＝(A×ΔPC+B*PCd)×C  …  式（１）
ここで、前記T2は、前記第２の期間であり、Ａ、Ｂ、Ｃは、修正する演算パラメータである
ことを特徴とする請求項８に記載の空気調和機を制御する装置。
【請求項１２】
前記第１の制御ユニットは、さらに、前記ファンが第１の回転速度で動作すると、前記空気調和機の圧縮機の現在の動作周波数を、第１の周波数に切り替えて動作させ、前記ファンが第２の回転速度で動作すると、前記空気調和機の圧縮機の現在の動作周波数を、前記第１の周波数以上である第２の周波数に切り替えて動作させる
ことを特徴とする請求項１０または１１に記載の空気調和機を制御する装置。
【請求項１３】
前記現在の温度値および湿度値の中の現在の温度値と設定温度値との間の温度偏差が設定値よりも大きいと、前記温度偏差が設定値以下になるまで、前記空気調和機の圧縮機が設定周波数よりも大きい第２の周波数で動作するように、前記空気調和機の圧縮機を制御するための第２の制御ユニットをさらに備える
ことを特徴とする請求項８に記載の空気調和機を制御する装置。
【請求項１４】
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にある場合、前記ファンの現在の動作モードを維持するための第３の制御ユニットをさらに備える
ことを特徴とする請求項８に記載の空気調和機を制御する装置。
【請求項１５】
空気調和機の自己洗浄の制御方法であって、
前記空気調和機の作用領域の現在の温度値および湿度値を取得するステップと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるステップと、を含む
ことを特徴とする空気調和機の自己洗浄の制御方法。
【請求項１６】
空気調和機の自己洗浄の制御装置であって、
前記空気調和機の作用領域の現在の温度値および湿度値を取得するための取得ユニットと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるための第１の制御ユニットと、を備える
ことを特徴とする空気調和機の自己洗浄の制御装置。
【発明の詳細な説明】
【技術分野】
【０００１】
本願は、出願番号がＣＮ２０１７１０７８６４２０.０であって、出願日が２０１７年０９月０４日である中国特許出願に基づいて優先権を主張し、当該中国特許出願のすべての内容を援用して参考とする。
【０００２】
本願は、出願番号がＣＮ２０１７１０７８７７０４.１であって、出願日が２０１７年０９月０４日である中国特許出願に基づいて優先権を主張し、当該中国特許出願のすべての内容を援用して参考とする。
【０００３】
本発明は、空気調和機の技術分野に関し、特に、空気調和機の自己洗浄の制御方法、及び装置に関する。
【背景技術】
【０００４】
空気調和機は、生活水準の向上に伴い、ますます普遍的に使用されている。現在、ほとんどの空気調和機、特に家庭用の空気調和機は、蒸気圧縮の方法を使用して冷房又は暖房を実現する。
【０００５】
空気調和機は、冷房又は暖房を実現する過程において、空気調和機の作用領域の湿度を変更させる可能性がある。たとえば、予め設定された温度と空気調和機の作用領域（例えば部屋）の実際の温度との偏差がより大きい場合、空気調和機は冷房を行い、また、圧縮機は高周波で動作する。このとき、空気調和機の室内機内のパイプコイルの温度がより低く、一般的に、空気の露点温度よりも低いため、空気中の水蒸気が継続的に凝縮され、部屋の実際の温度が予め設定された温度に達すると、空気の湿度が低すぎて、人体は乾燥して不快を感じることになる。一方、部屋の実際の温度と予め設定された温度との差分値が小さ過ぎる場合、空気調和機は冷房を行い、また、圧縮機は低周波で動作する。このとき、パイプコイルの温度より高く、一般的に、空気の露点温度よりも高いため、空気中の水蒸気が凝縮されなくなり、部屋の実際の温度が予め設定された温度に達すると、空気の湿度が大きすぎて、人体は同様に不快を感じることになる。このため、空気湿度の調節は、現在の空気調和機の技術分野で早急に解決する必要がある問題である。
【発明の概要】
【発明が解決しようとする課題】
【０００６】
本発明の実施例は、空気調和機の自己洗浄の制御方法、及び装置を提供する。開示する実施例のいくつかの態様に対する基本的な理解のために、簡単な概要を以下に示す。当該概要の部分は、簡単な評述でもなく、鍵となる構成要素／重要な構成要素を特定しようとするものでもなく、これら実施例の保護範囲を説明するものでもない。その唯一の目的は、後述するより詳細な説明の前置きとして、簡略化された形式でいくつかの概念を提示することである。
【０００７】
本発明の実施例の第１の態様によると、空気調和機を制御する方法を提供し、当該方法は、
前記空気調和機の作用領域の現在の温度値および湿度値を取得するステップと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるステップと、を含む。
【０００８】
本発明の一実施例において、前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、設定策略に従って、前記現在の温度値および湿度値が設定要件に達するまで、前記空気調和機の、ファンを含む少なくとも一つのデバイスの現在の動作モードを切り替えるステップをさらに含む。
【０００９】
本発明の一実施例において、前記設定策略に従って、前記空気調和機の、ファンを含む少なくとも一つのデバイスの現在の動作モードを切り替えるステップは、
前記空気調和機のファンが、第１の回転速度で、設定された第１の期間動作した後に、第１の回転速度未満の第２の回転速度に切り替えて動作するように、前記空気調和機のファンを制御するステップと、
前記のファンが、第２の回転速度で、設定された第２の期間動作した後に、第１の回転速度に切り替えて動作するように、前記のファンを制御するステップと、を含む。
【００１０】
本発明の一実施例において、前記空気調和機の湿度パラメータに基づいて、前記現在の温度値および湿度値が設定要件に達するまで、前記空気調和機の、ファンを含む少なくとも一つのデバイスの現在の動作モードを切り替えるステップは、
前記空気調和機のファンが、第１の回転速度で第１の期間動作した後に、第１の回転速度未満の第２の回転速度に切り替えて動作するように、前記空気調和機のファンを制御するステップと、
前記のファンが、第２の回転速度で第２の期間動作した後に、第１の回転速度に切り替えて動作するように、前記のファンを制御するステップと、を含み、
ここで、前記第２の期間を確定する過程は、
現在の湿度パラメータ（PCｄ）と前のサイクルの湿度パラメータ（PCｍ）とに基づいて、湿度パラメータの変化値（ΔPC）を取得し、
式（１）に従って、前記第２の期間を確定することを含み、
T2＝(A×ΔPC+B*PCd)×C  …  式（１）
ここで、前記T2は、前記第２の期間であり、Ａ、Ｂ、Ｃは、修正する演算パラメータであり、
前記第１の期間（T1）は、設定期間、または、設定合計期間（T）と前記第２の期間（T2）との間の差分値である。
【００１１】
本発明の一実施例において、前記前記空気調和機の、ファンを含む少なくとも一つのデバイスの現在の動作モードを切り替えるステップは、
前記ファンが第１の回転速度で動作すると、前記空気調和機の圧縮機の現在の動作周波数を、第１の周波数に切り替えて動作させるステップと、
前記ファンが第２の回転速度で動作すると、前記空気調和機の圧縮機の現在の動作周波数を、前記第１の周波数以上である第２の周波数に切り替えて動作させるステップと、をさらに含む。
【００１２】
本発明の一実施例において、前記方法は、
前記現在の温度値および湿度値の中の現在の温度値と設定温度値との間の温度偏差が設定値よりも大きいと、前記温度偏差が設定値以下になるまで、前記空気調和機の圧縮機が設定周波数よりも大きい第２の周波数で動作するように、前記空気調和機の圧縮機を制御するステップをさらに含む。
【００１３】
本発明の一実施例において、前記方法は、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にある場合、前記ファンの現在の動作モードを維持するステップをさらに含む。
【００１４】
本発明の実施例の第２の態様によると、空気調和機を制御する装置を提供し、当該装置は、
前記空気調和機の作用領域の現在の温度値および湿度値を取得するための取得ユニットと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるための第１の制御ユニットと、を備える。
【００１５】
本発明の一実施例において、前記第１の制御ユニットは、さらに、現在の温度値および湿度値の中の現在の温度値と設定温度値との間の温度偏差が設定値以下であり、且つ、現在の温度値および湿度値の中の現在の湿度値が設定温度値に対応される目標快適湿度範囲内にない場合、設定策略に従って、現在の温度値および湿度値が設定要件に達するまで、空気調和機の、ファンを含む少なくとも一つのデバイスの現在の動作モードを切り替える。
【００１６】
本発明の一実施例において、前記第１の制御ユニットは、さらに、前記空気調和機のファンが、第１の回転速度で、設定された第１の期間動作した後に、第１の回転速度未満の第２の回転速度に切り替えて動作するように、前記空気調和機のファンを制御し、または、前記のファンが、第２の回転速度で、設定された第２の期間動作した後に、第１の回転速度に切り替えて動作するように、前記のファンを制御する。
【００１７】
本発明の一実施例において、前記第１の制御ユニットは、さらに、前記空気調和機のファンが、第１の回転速度で第１の期間動作した後に、第１の回転速度未満の第２の回転速度に切り替えて動作するように、前記空気調和機のファンを制御し、また、前記のファンが、第２の回転速度で第２の期間動作した後に、第１の回転速度に切り替えて動作するように、前記のファンを制御し、ここで、前記第２の期間を確定する過程は、  現在の湿度パラメータ（PCｄ）と前のサイクルの湿度パラメータ（PCｍ）とに基づいて、湿度パラメータの変化値（ΔPC）を取得し、  式（１）に従って、前記第２の期間を確定することを含み、前記第１の期間（T1）は、設定期間、または、設定合計期間（T）と前記第２の期間（T2）との間の差分値であり、
T2＝(A×ΔPC+B*PCd)×C  …  式（１）
ここで、前記T2は、前記第２の期間であり、Ａ、Ｂ、Ｃは、修正する演算パラメータである。
【００１８】
本発明の一実施例において、前記第１の制御ユニットは、さらに、前記ファンが第１の回転速度で動作すると、前記空気調和機の圧縮機の現在の動作周波数を、第１の周波数に切り替えて動作させ、前記ファンが第２の回転速度で動作すると、前記空気調和機の圧縮機の現在の動作周波数を、前記第１の周波数以上である第２の周波数に切り替えて動作させる。
【００１９】
本発明の一実施例において、
前記現在の温度値および湿度値の中の現在の温度値と設定温度値との間の温度偏差が設定値よりも大きいと、前記温度偏差が設定値以下になるまで、前記空気調和機の圧縮機が設定周波数よりも大きい第２の周波数で動作するように、前記空気調和機の圧縮機を制御するための第２の制御ユニットをさらに備える。
【００２０】
本発明の一実施例において、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にある場合、前記ファンの現在の動作モードを維持するための第３の制御ユニットをさらに備える。
【００２１】
本発明の実施例の第３の態様によると、空気調和機の自己洗浄の制御方法を提供し、前記方法は、
前記空気調和機の作用領域の現在の温度値および湿度値を取得するステップと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるステップと、を含む。
【００２２】
本発明の実施例の第４の態様によると、空気調和機の自己洗浄の制御装置を提供し、前記装置は、
前記空気調和機の作用領域の現在の温度値および湿度値を取得するための取得ユニットと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるための第１の制御ユニットと、を備える。
【００２３】
本発明の実施例によって提供される技術案は、以下の有益な効果を含む。
【００２４】
本発明の実施例において、ファンを含む少なくとも一つのデバイスの動作を制御することによって、空気調和機が動作した後に、現在の温度値および湿度値が設定要件に達するようにすることができて、空気調和機の温度と湿度の両方に対する制御を実現させ、また、湿度偏差またはパイプコイル温度偏差に基づいてファンの動作モードの切り替えを制御することができて、温度と湿度の両方に対する制御の精度をもう一層向上させた。
上述した一般的な説明及び後述する詳細な説明は、単に例示的及び解釈的なものであり、本発明を限定しないことを理解すべきである。
【図面の簡単な説明】
【００２５】
以下の図面は、明細書に組み入れて本明細書の一部分を構成し、本発明に適合する実施例を例示するとともに、明細書とともに本発明の原理を解釈する。
【図１】一つの例示的な実施例に係る空気調和機制御方法を示す概略フローチャートである。
【図２】一つの例示的な実施例１に係る空気調和機制御方法を示す概略フローチャートである。
【図３】一つの例示的な実施例２に係る空気調和機制御方法を示す概略フローチャートである。
【図４】一つの例示的な実施例３に係る空気調和機制御方法を示す概略フローチャートである。
【図５】一つの例示的な実施例に係る空気調和機制御装置を示すブロック図である。
【図６】一つの例示的な実施例に係る空気調和機制御装置を示すブロック図である。
【発明を実施するための形態】
【００２６】
当業者が本発明の具体的な実施形態を実施できるように、以下の説明及び図面は具体的な実施形態を十分に示している。実施例は可能な変更のみを代表している。明確な要求がない限り、個別の部品や機能は選択可能であり、操作の順番も変更可能である。一部の実施案の部分及び特徴は他の実施案の部分及び特徴に含まれてもよいし代替されてもよい。本発明の実施案の範囲は、特許請求の範囲の全て、及び特許請求の範囲の全てによって得られる等価物を含む。本明細書において、本発明の各実施案は、単独で又は総括的に「発明」という用語により表されてもよい。これは、便利にするためにすぎない。また、事実上、１つ以上の発明が公開されても、この応用の範囲を任意の単独な発明又は発明構想として自動的に規制するものではない。本明細書において、第１及び第２などの関係技術用語は１つの構成又は操作と他の構成又は操作を区別するためにのみ用いられ、これらの構成又は操作の間にこのような関係又は順序が存在することを要件としたり、示唆したりするものではない。また、「含む」、「含有」という技術用語またはその他の類似用語は非排他的な含有をカバーし、一連の要素を含む過程、方法又は装置はそれらの要素を含むだけでなく、明確に例示していないその他の要素を含み、またはこのような過程、方法又は装置の特有の要素を含む。本明細書の各実施形態は、段階様式で説明される。また、各実施形態についての重要な説明部分は、他の実施形態と異なる点であり、各実施形態の同一又は類似部分は相互に参照されてもよい。実施形態で開示されている方法や製品などは、実施形態で開示されている方法部分に対応するため、簡単に説明するが、関連部分については方法部分の説明を参照すればよい。
【００２７】
空気調和機は、すでに日常生活でよく使用される電化製品であり、室内温度を調節することができ、温度を高くしたり低くしたりして、室内温度がユーザによって予め設定された温度と一致するようにすることができる。しかし、現在のほとんどの空気調和機は、室内の空気湿度を調節できない。本発明の実施例においては、ファンを含む少なくとも一つのデバイスの動作を制御することによって、空気調和機が動作した後に、現在の温度値および湿度値が設定要件に達するようにすることができて、空気調和機の温度と湿度の両方に対する制御を実現させた。
【００２８】
空気調和機は、電化製品として、ユーザにサービスを提供し、ユーザの快適性は空気調和機の性能評価の一つの重要な指標である。ユーザは、ユーザが温度を設定した後、当該設定温度に対応される一つの湿度範囲内で、当該温度及び対応される湿度範囲内で、より快適に感じる。ここで、目標快適湿度範囲と人体の体感設定快適レベルとが互いに対応され、例えば、設定温度において、人体の体感の最も快適に対応される湿度範囲が目標快適湿度範囲である。このため、目標快適湿度範囲は、空気調和機の設定温度に対応される人体の体感の快適レベルに基づいて特定される。
【００２９】
ここで、温度と湿度範囲との対応関係を予め格納することができる。すなわち、各設定温度に、複数の人体に対してテストして、人体が最も快適に感じる湿度を取得する。予め設定された温度の設定領域内で、人体に対してサンプルを収集した設定体感快適レベルに対応される複数の第１の湿度を取得して、第１の湿度に基づいて、設定温度に対応される目標快適湿度範囲を確定し、対応関係を格納する。たとえば、予め設定された温度が２５°である場合、このとき、第１の湿度は相対的湿度である４０％〜６０％の間であり、ほとんどのユーザは最も快適に感じることになる。このため、複数の第１の湿度はすべて相対的湿度である４０％〜６０％中にふくまれ、湿度４０％〜６０％を設定温度に対応される目標快適湿度範囲として確定し、予め設定された温度２５°と目標快適湿度４０％〜６０％との間の対応関係を格納する。
【００３０】
従って、格納した温度と湿度範囲との対応関係は、表１に示されたものであってもよい。
【００３１】
ここで、格納した温度と湿度範囲との対応関係に基づいて、空気調和機の設定温度に対応される目標快適湿度範囲を確定することができる。表１に示されたように、設定温度が２６°であると、目標快適湿度範囲を湿度４０％〜５５％として確定することができる。
【００３２】
空気調和機の設定温度を確定した後、すなわち、対応される目標快適湿度範囲を確定した後に、されに、空気調和機のデバイスを制御して、空気調和機の作用領域の温度および湿度を設定要件まで調整することができる。
【００３３】
【表１】
2020532700.tif 000003
【００３４】
図１は、一つの例示的な実施例に係る空気調和機制御方法を示すフローチャートである。図１に示されたように、空気調和機を制御する過程は、以下のステップを含む。
【００３５】
ステップ１０１において、空気調和機の作用領域の現在の温度値および湿度値を取得する。
【００３６】
本発明の実施例において、空気調和機は、空気調和機の作用領域の温度及び湿度を調節でき、現在の温度値および湿度値は、現在の温度値および現在の湿度値を含む。一般的に、空気調和機システム中の該当する温度センサを利用して空気調和機の作用領域の現在の温度値を取得することができる。現在の温度値および湿度値の中の現在の湿度値を取得する方法は多数あり、もし空気調和機中に湿度センサがあると、湿度センサを利用して空気調和機の作用領域の現在の湿度値を取得することができる。ただし、一部の空気調和機中には湿度センサがないため、空気調和機の動作パラメータを取得することで、現在の温度値および湿度値の中の現在の湿度値を確定することができる。したがって、空気調和機の作用領域の現在の温度値および湿度値の中の現在の温度値を取得するだけでなく、空気調和機の室内機のパイプコイルの温度値および圧縮機の動作周波数値も必要になる。続いて、取得した値に基づいて現在の温度値および湿度値の中の現在の湿度値を確定することは、空気調和機の室内機のパイプコイルの温度値および圧縮機の動作周波数値に基づいて、式（ｉ）に従って、現在の温度値および湿度値の中の現在の湿度値を得ること、または、空気調和機中の膨張弁の開度値を取得し、室内機のパイプコイルの温度値、圧縮機の動作周波数値、および、開度値に基づいて、式（ｉｉ）に従って、現在の温度値および湿度値の中の現在の湿度値を得ることを含む。
Ｒｈ＝Ａ１*Ｔ１＋Ｂ１*Ｔ２＋Ｃ１*ｈｚ＋Ｅ  …  式（ｉ）
Ｒｈ＝Ａ２*Ｔ１＋Ｂ２*Ｔ２＋Ｃ２*ｈｚ＋Ｄ*ｆ＋Ｆ  …  式（ｉｉ）
【００３７】
ここで、Ｒｈは、現在の湿度値であり、Ｔ１は、現在の温度値であり、Ｔ２は、室内機のパイプコイルの温度値であり、ｈｚは、圧縮機の動作周波数値であり、ｆは、開度値であり、Ａ１、Ｂ１、Ｃ１、Ａ２、Ｂ２、Ｃ２、Ｄ、Ｅ、および、Ｆは、それぞれ、空気調和機の種類に応じて決まる定数である。
【００３８】
たとえば、種類１の空気調和機の場合、複数回のデバッグと統計を行って、好ましくは、Ａ１が、８以上且つ１２以下の定数であり、Ｂ１が、−１２以上且つ−８以下の定数であり、Ｃ１が、−２以上且つ−１以下の定数であり、Ｅが、−１０以上且つ２０以下の定数であると、式（１）に従って、現在の温度値および湿度値の中の現在の湿度値を得ることができる。
【００３９】
Ｔ１＝２５、Ｔ２＝１４、ｈｚ＝５０であり、対応されるＡ１＝１０、Ｂ１＝−１０、Ｃ１＝−１であり、修正値Ｅ＝１０であると、式（１）に従って、現在の湿度値Ｒｈ＝７０％を得ることができる。
【００４０】
当然ながら、他の種類の空気調和機の場合も、複数回のデバッグと統計によって、Ａ１、Ｂ１、Ｃ１、Ｅの好ましい値範囲を確定し、または、Ａ２、Ｂ２、Ｃ２、Ｄ、Ｆの好ましい値範囲を確定することができる。具体的な例は示さない。
【００４１】
このようにして、湿度センサを追加せずに、空気調和機の室内機のパイプコイルの温度値および圧縮機の動作周波数値などに基づいて、現在の湿度値を得ることができて、ハードウェア要件が削減され、空気調和機の空間が節約され、さらにリソースが節約された。
【００４２】
ステップ１０２において、現在の温度値および湿度値の中の現在の温度値と設定温度値との間の温度偏差が、設定値以下であるか否かを判断し、設定値以下である場合、ステップ１０３を実行し、設定値以下でない場合、ステップ１０６を実行する。
【００４３】
現在の温度値および湿度値は、現在の温度値および現在の湿度値を含む。ここで、現在の温度値がＴｄであり、空気調和機を利用する際に、すでに温度が予め設定され、すなわち、設定温度値がＴｓであり、また、設定温度値Ｔｓに対応される目標快適湿度範囲（ＲＨ１、ＲＨ２）を確定することができる。例えば、表１に従って、設定温度が２８°であると、対応される目標快適湿度範囲（ＲＨ１、ＲＨ２）は（３５％、６０％）である。
【００４４】
まず、現在の温度値および湿度値の中の現在の温度値と設定温度値との間の温度偏差を取得することができ、温度偏差ｐｎ＝Ｔｄ−Ｔｓである。本発明の実施例において、現在の温度値が設定温度値により近い場合、例えばｐｎ≦３の場合、空気調和機に対して湿度制御を行うことができる。現在の温度値が設定温度値よりもより大きい場合、例えばｐｎ＞３である場合、空気調和機に対して温度制御を続けることができる。このため、一つの設定値を予め設定し、当該設定値は、空気調和機の種類および複数回のデバッグデータに基づいて確定することができる。例えば、設定値は、２、３、３.５などである。
【００４５】
このようにして、温度偏差ｐｎと設定値とを比較し、温度偏差≦設定値であると、ステップ１０３を実行し、温度偏差≦設定値でないと、ステップ１０６を実行することができる。
【００４６】
ステップ１０３において、現在の温度値および湿度値の中の現在の湿度値が、設定温度値に対応される目標快適湿度範囲内にいるか否かを判断し、目標快適湿度範囲内である場合には、ステップ１０４を実行し、そうでない場合には、ステップ１０５を実行する。
【００４７】
温度偏差≦設定値であると、すなわち現在の温度値が設定温度値により近いと、空気調和機に対して湿度制御を行うことができる。このため、現在の湿度値が設定温度値に対応される目標快適湿度範囲内にいるか否かをさらに判断する必要がある。ここで、現在の湿度値ＲＨｄが目標快適湿度範囲（ＲＨ１、ＲＨ２）にある場合、ステップ１０５を実行することができる。現在の湿度値ＲＨｄが目標快適湿度範囲（ＲＨ１、ＲＨ２）内にない場合、ステップ１０４を実行することができる。
【００４８】
ステップ１０４において、現在の温度値および湿度値が設定要件に達するまで、空気調和機の、ファンを含む少なくとも一つのデバイスの現在の動作モードを切り替える。
【００４９】
現在の湿度値ＲＨｄが目標快適湿度範囲（ＲＨ１、ＲＨ２）内にないため、ファンを含む少なくとも一つのデバイスの動作を制御することによって、空気調和機が動作した後に、現在の温度値および湿度値が設定要件に達するようにすることができる。
【００５０】
空気調和機は、圧縮機、蒸発器、スロットルバルブなどの、複数のデバイスによって構成され、本発明の実施例において、空気調和機はファンをさらに備える。現在の温度値および湿度値が設定要件に達するまで、空気調和機の、ファンを含む少なくとも一つのデバイスの現在の動作モードを切り替える。具体的には、空気調和機のファンが、第１の回転速度で第１の期間動作した後に、第１の回転速度未満の第２の回転速度に切り替えて動作するように、空気調和機のファンを制御することと、ファンが、第２の回転速度で第２の期間動作した後に、第１の回転速度に切り替えて動作するように、ファンを制御することと、を含む。
【００５１】
本発明の実施例において、一般的に、高温高湿度環境において、空気調和機を使用して環境の温度と湿度を調整することができる。現在の湿度値ＲＨｄが目標快適湿度範囲（ＲＨ１、ＲＨ２）にないため、一般的にはＲＨｄ＞ ＲＨ２であるため、空気調和機のファンの動作モードを切り替えることで、空気調和機の作用領域の湿度値をさげることができる。ファンの回転速度がより高いと、例えば、ファンが第１の回転速度で動作すると、空気調和機の顕熱の冷却能力をより速く変更して、温度を下げることができる。ファンの回転速度がより低いと、例えば、ファンが第２の回転速度で動作すると、このとき、温度の変化が小さいが、除湿することができる。このようにして、ファンが第１の回転速度で第１の期間動作した後に、第２の回転速度に切り替えて第２の期間動作し、その後、第１の回転速度に切り替えて第１の期間動作し、さらに続いて、第２の回転速度切り替えて第２の期間動作し、この順に切り替えると、温度を平穏に下げる同時に、作用領域の湿度を変更させることができ、最後に、ファンの作業モードの切り替えによって、現在の温度値および湿度値が設定要件に達するようにすることができる。
【００５２】
当然ながら、空気調和機は、主には、圧縮機の動作に依存して作用領域の温度及び湿度を調節するため、好ましくは、ファンが第１の回転速度で動作すると、空気調和機の圧縮機の現在の動作周波数を第１の周波数に切り替えて動作させ、ファンが第２の回転速度で動作すると、空気調和機の圧縮機の現在の動作周波数を第２の周波数に切り替えて動作させ、ここで、第１の周波数は第２の周波数よりも大きい。
【００５３】
一般的に、第１の回転速度は第２の回転速度よりも大きく、第１の回転速度を、高い回転速度として、一つの設定回転速度よりも大きく設定し、第２の回転速度を、低い回転速度として、設定回転速度よりも小さく設定することができる。第１の周波数は第２の周波数よりも小さく、同様に、第１の周波数を、低周波して、一つの設定周波数よりも小さく設定し、第２の周波数を、高周波として、設定周波数よりも大きく設定することができる。このようにして、圧縮機が第１の周波数で動作し、ファンが第１の回転速度で動作するとき、圧縮機は低周波であるが、ファンは高速であり、空気調和機の顕熱の冷却能力を調整することで温度をさげることができる。圧縮機が第２の周波数で動作し、ファンが第２の回転速度で動作するとき、圧縮機は高周波であるが、ファンは低速であり、空気調和機の潜熱の冷却能力を調整することで除湿することができる。このため、ファンおよび圧縮機の作業モードを切り替えることで、空気調和機の温度と湿度の両方に対する制御を実現することができる。
【００５４】
ファンおよび圧縮機などの作業モードを切り替えて、空気調和機の温度と湿度の両方に対する制御を実現するので、切り替える時点が特に重要になる。本発明の実施例において、時点を確定する方法は、多数あり、設定策略に従って、現在の温度値および湿度値が設定要件に達するまで、空気調和機の、ファンを含む少なくとも一つのデバイスの現在の動作モードを切り替えることを含む。
【００５５】
空気調和機の種類、および、複数回のテストデータに基づいて、一つの設定された第１の期間、および、一つの設定された第２の期間を確定することができ、したがって、空気調和機のファンが、第１の回転速度で、設定された第１の期間動作した後に、第２の回転速度に切り替えて動作するように、空気調和機のファンを制御し、ファンが、第２の回転速度で、設定された第２の期間動作した後に、第１の回転速度に切り替えて動作するように、ファンを制御する。または、一つのサイクルＴ、および、一つの強風運転時間比率Ｘ％を確定し、したがって、空気調和機のファンが、第１の回転速度でＴ* Ｘ％動作した後に第２の回転速度に切り替えて動作するように、空気調和機のファンを制御し、ファンが、第２の回転速度でＴ*(１〜Ｘ％)動作した後に第１の回転速度に切り替えて動作するように、ファンを制御し、ここで、第１の回転速度は第２の回転速度よりも大きい。
または、本発明のもう一実施例において、空気調和機の湿度パラメータに基づいて、現在の温度値および湿度値が設定要件に達するまで、空気調和機の、ファンを含む少なくとも一つのデバイスの現在の動作モードを切り替え、ここで、湿度パラメータは、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む。具体的には、空気調和機のファンが、第１の回転速度で第１の期間動作した後に、第１の回転速度未満の第２の回転速度に切り替えて動作するように、空気調和機のファンを制御することと、ファンが、第２の回転速度で第２の期間動作した後に、第１の回転速度に切り替えて動作するように、ファンを制御することを含む。ここで、第２の期間を確定する過程は、現在の湿度パラメータ（PCｄ）と前のサイクルの湿度パラメータ（PCｍ）とに基づいて、湿度パラメータの変化値（ΔPC）を取得し、式（１）に従って、前記第２の期間を確定することを含み、前記第１の期間（T1）は、設定期間、または、設定合計期間（T）と前記第２の期間（T2）との間の差分値である。
T2＝(A×ΔPC+B*PCd)×C  …  式（１）
ここで、前記T2は、前記第２の期間であり、Ａ、Ｂ、Ｃは、修正する演算パラメータであり、
本発明の実施例において、湿度パラメータは、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む。当然ながら、湿度パラメータが異なると、対応されるＡ、Ｂ、Ｃも異なる。
【００５６】
ここで、湿度パラメータが湿度偏差である場合、設定温度値に対応される目標快適湿度範囲が既に確定され、したがって、目標快適湿度範囲に基づいて予め設定された目標湿度を確定することができ、目標快適湿度範囲の平均値を予め設定された目標湿度値として確定すること、または、目標快適湿度範囲から一つの予め設定された目標湿度値をランダムに選択することを含む。たとえば、設定温度が２８°であると、対応される目標快適湿度範囲（ＲＨ１、ＲＨ２）は（３５％、６０％）であり、予め設定された目標湿度値を４８％、または、４７.５％として確定することができる。その後、現在の湿度偏差PCｄが、現在の湿度値と予め設定された目標湿度値との間の差分値である。
前の一つの制御サイクルにおいて、対応される湿度偏差である前のサイクルの湿度パラメータがPCｍであると、湿度偏差の変化値ΔPC＝PCｄ−PCｍである。したがって、式（１）に従って第２の期間を確定することができる。
【００５７】
たとえば、PCｄ＝２０、ΔPC＝５であり、Ａ＝３、Ｂ＝５、Ｃ＝１であると、T2＝１１５秒として確定することができる。このとき、第１の期間T1を５０秒に設定することができ、したがって、空気調和機のファンが、第１の回転速度で５０秒動作した後に、第２の回転速度に切り替えて動作するように、空気調和機のファンを制御し、ファンが、第２の回転速度で１１５秒動作した後に、第１の回転速度に切り替えて動作するように、ファンを制御する。または、毎回空気調和機を制御するサイクルTが１８０秒であり、PCｄ＝１０、ΔPC＝２であり、Ａ＝５％、Ｂ＝６％、Ｃ＝１８０であると、T2＝０.７*１８０＝１２６秒であり、T1＝T−T2＝５４秒であると確定することができ、したがって、空気調和機のファンが、第１の回転速度で５４秒動作した後に、第２の回転速度に切り替えて動作するように、空気調和機のファンを制御し、ファンが、第２の回転速度で１２６秒動作した後に、第１の回転速度に切り替えて動作するように、ファンを制御する。
【００５８】
湿度パラメータがパイプコイル温度偏差である場合にも、現在の空気調和機のパイプコイルの温度値、および、予め設定された目標パイプコイルの温度値を取得する必要がある。目標パイプコイルの温度値は、設定温度値に１対１対応することもでき、したがって、設定温度値を設定した後に、目標パイプコイルの温度値を確定することができる。本実施例において、現在の空気調和機のパイプコイルの温度値を取得することもでき、したがって、現在の空気調和機のパイプコイルの温度値と目標パイプコイルの温度値との間のパイプコイル温度偏差を、現在の湿度パラメータPCｄとして確定することができる。
【００５９】
同様に、前の一つの制御サイクルに対応されるパイプコイル温度偏差、すなわち、前のサイクルの湿度パラメータPCｍを取得することができる。このようにして、 パイプコイル温度偏差の変化値は、
ΔPC＝PCｄ−PCｍである。したがって、式（１）に従って第２の期間を確定することができる。たとえば、毎回空気調和機を制御するサイクルTが３００秒であり、PCｄ＝１０、ΔPC＝２であり、Ａ＝４％、Ｂ＝６％、Ｃ＝３００であると、T2＝０.６８*３００＝２０４秒、T1＝T−T2＝９６秒であると確定することができ、したがって、空気調和機のファンが、第１の回転速度で９６秒動作した後に、第２の回転速度に切り替えて動作するように、空気調和機のファンを制御し、ファンが、第２の回転速度で２０４秒動作した後に、第１の回転速度に切り替えて動作するように、ファンを制御する。または、PCｄ＝１０、ΔPC＝２であり、Ａ＝４、Ｂ＝６、Ｃ＝１であると、したがって、T2＝６８秒であり、第１の期間T1は３０秒に設定され、したがって、空気調和機のファンが、第１の回転速度で３０秒動作した後に、第２の回転速度に切り替えて動作するように、空気調和機のファンを制御し、ファンが、第２の回転速度で６８秒動作した後に、第１の回転速度に切り替えて動作するように、ファンを制御する。
【００６０】
ステップ１０５において、ファンの現在の動作モードを維持する。
【００６１】
温度偏差が設定値以下であり、且つ、現在の温度値および湿度値の中の現在の湿度値が設定温度値に対応される目標快適湿度範囲にあるとき、ファンの回転速度を切り替えないでも、温度も設定要件に達するまで、温度がゆっくり下がることになる。
【００６２】
ステップ１０６において、温度偏差が設定値以下になるまで、空気調和機の圧縮機が第２の周波数で動作するように制御する。
【００６３】
第２の周波数は設定周波数よりも大きく、すなわち、圧縮機が高周波で動作し、このようにして、温度偏差が設定値以下になるまで、温度を速く下げることができる。
【００６４】
上記のように、本実施例において、ファンを含む少なくとも一つのデバイスの動作を制御することによって、空気調和機が動作した後に、現在の温度値および湿度値が設定要件に達するようにすることができて、空気調和機の温度と湿度の両方に対する制御を実現させ、また、設定期間の策略に従って、ファン動作モードの切り替えを制御することができ、温度と湿度の両方に対する制御の効率をもう一層向上させた。湿度偏差またはパイプコイル温度偏差に基づいてファンの動作モードの切り替えを制御することもできて、温度と湿度の両方に対する制御の精度をもう一層向上させた。
【００６５】
以下、操作の流れを具体的な実施例中に組み合わせて、例を挙げて、本発明の実施例によって提供される方法を説明する。
【００６６】
実施例１：本実施例において、設定策略に従って、空気調和機の、ファンを含む少なくとも一つのデバイスの現在の動作モードを切り替えることができる。
【００６７】
図２は、一つの例示的な実施例１に係る空気調和機制御方法の概略フローチャートであり、図２に示されたように、空気調和機を制御する過程は、以下のステップを含む。
【００６８】
ステップ２０１において、空気調和機の作用領域の現在の温度値および湿度値を取得する。
【００６９】
温度センサを利用して現在の温度値を取得し、また、室内機のパイプコイルの温度値、および、圧縮機の動作周波数値を取得することもでき、したがって、下記の式にしたがって、現在の温度値および湿度値の中の現在の湿度値を得ることができる。
ＲＨｄ＝Ａ１*Ｔ１＋Ｂ１*Ｔ２＋Ｃ１*ｈｚ＋Ｅ
【００７０】
ここで、ＲＨｄは、現在の湿度値であり、Ｔ１は、現在の温度値であり、Ｔ２は、室内機のパイプコイルの温度値であり、ｈｚは、圧縮機の動作周波数値であり、Ａ１、Ｂ１、Ｃ１、Ｅは、それぞれ、空気調和機の種類に応じて確定された定数である。
【００７１】
ステップ２０２において、現在の温度値および湿度値の中の現在の温度値Ｔｄと設定温度値Ｔｓとの間の温度偏差ｐｎを確定する。
【００７２】
ここで、Ｐｎ＝Ｔｄ〜Ｔｓである。
ステップ２０３において、ｐｎ≦３が成立するか否かを判断し、成立すると、ステップ２０４を実行し、成立しないと、ステップ２０７を実行する。
【００７３】
設定値は３であり、ｐｎ≦３であり、すなわち、温度偏差が設定値以下であるため、ステップ２０４を実行し、そうでない場合、ステップ２０７を実行する。
【００７４】
ステップ２０４において、ＲＨｄ＞ＲＨ２が成立するか否かを判断し、成立すると、ステップ２０５を実行し、成立しないと、ステップ２０６を実行する。
【００７５】
一般的に、高温高湿度の環境の場合、空気調和機に対して、温度と湿度の両方に対する制御を行うため、ここで、現在の湿度値が目標快適湿度範囲の上限値よりも大きいか否かのみを判断すればよく、大きいと、ステップ２０５を実行し、大きくないと、ステップ２０６を実行する。
【００７６】
ステップ２０５において、空気調和機のファンが第１の回転速度で、圧縮機が第１の周波数で、設定された第１の期間動作した後に、ファンが第２の回転速度に、圧縮機が第２の周波数に、切り替えて動作するように制御し、また、空気調和機のファンが第２の回転速度で、圧縮機が第２の周波数で、設定された第２の期間動作した後に、ファンが第１の回転速度に、圧縮機が第１の周波数に、切り替えて動作するように制御する。
【００７７】
ここで、空気調和機の具体的な性能に基づいて、第１の周波数は圧縮機に対応される低ギア周波数すなわち低周波であり、第２の周波数は高周波であり、第１の回転速度もファンに対応される高ギア回転速度すなわち強風であり、第２の回転速度は弱風である。
【００７８】
ステップ２０６において、ファンの現在の動作モードを維持する。
【００７９】
ここで、 ＲＨｄ＜ＲＨ２、且つ、ｐｎ≦３であり、温度をゆっくり下げればよく、ファンの現在の動作モードをそのまま維持すればよい。
【００８０】
ステップ２０７において、空気調和機の圧縮機が第２の周波数で動作するように制御する。
【００８１】
明らかに、現在の温度値は、高すぎ、さらに温度を続けて下げる必要があるため、圧縮機を高周波で運伝させて、温度を速く下げる。
【００８２】
上記のように、本実施例において、ファンを含む少なくとも一つのデバイスの動作を制御することによって、空気調和機が動作した後に、現在の温度値および湿度値が設定要件に達するようにすることができて、空気調和機の温度と湿度の両方に対する制御を実現させ、また、設定期間の策略に従って、ファン動作モードの切り替えを制御することができ、温度と湿度の両方に対する制御の効率をもう一層向上させた。
【００８３】
実施例２：空気調和機の湿度パラメータに基づいて、現在の温度値および湿度値が設定要件に達するまで、空気調和機の、ファンを含む少なくとも一つのデバイスの現在の動作モードを切り替え、ここで、湿度パラメータは、取得された現在の湿度値と予め設定された目標湿度との間の湿度偏差である。
【００８４】
図３は、一つの例示的な実施例２に係る空気調和機制御方法の概略フローチャートであり、図３に示されたように、空気調和機を制御する過程は、以下のステップを含む。
【００８５】
ステップ３０１において、空気調和機の作用領域の現在の温度値および湿度値を取得する。
【００８６】
温度センサを使用して現在の温度値を取得し、湿度センサを使用して現在の湿度値を取得する。
【００８７】
ステップ３０２において、現在の温度値および湿度値の中の現在の温度値Ｔｄと設定温度値Ｔｓとの間の温度偏差ｐｎを確定する。
【００８８】
ここで、Ｐｎ＝Ｔｄ−Ｔｓである。
ステップ３０３において、ｐｎ≦４が成立するか否かを判断し、成立すると、ステップ３０４を実行し、成立しないと、ステップ３１０を実行する。
【００８９】
設定値が４であり、 ｐｎ≦４である場合、すなわち温度偏差が設定値以下である場合、ステップ３０４を実行し、そうでない場合、ステップ３１０を実行する。
【００９０】
ステップ３０４において、ＲＨ１＜ＲＨｄ＜ＲＨ２が成立するか否かを判断し、成立しないと、ステップ３０５を実行し、成立すると、ステップ３０９を実行する。
ステップ３０５において、現在の湿度値と予め設定された目標湿度値との間の湿度偏差を、現在の湿度パラメータPCｄとして確定する。
【００９１】
ここで、目標快適湿度範囲（ＲＨ１、ＲＨ２）の平均値に基づいて、予め設定された目標湿度値を確定し、現在の湿度値と予め設定された目標湿度値との間の湿度偏差を、現在の湿度パラメータPCｄとして確定することができる。
【００９２】
ステップ３０６において、前の一つの制御サイクルに対応される湿度偏差PCｍを取得し、湿度偏差の変化値ΔPCを確定する。
【００９３】
前の一つの制御サイクルにおいて、対応される湿度偏差である前のサイクルの湿度パラメータがPCｍである場合、湿度偏差の変化値ΔPC＝PCｄ−PCｍである。
【００９４】
ステップ３０７において、式（１）に従って、第２の期間T2を確定し、第１の期間T1を固定期間ｔとして確定する。
【００９５】
たとえば、PCｄ＝１５、ΔPC ＝５であり、Ａ＝３、Ｂ＝６、Ｃ＝１である場合、T2＝１０５秒として確定することができる。このとき、第１の期間T1を４５秒に設定することができる。
【００９６】
ステップ３０８において、空気調和機のファンが第１の回転速度で、圧縮機が第１の周波数で、第１の期間T1動作した後に、ファンが第２の回転速度に、圧縮機が第２の周波数に、切り替えて動作するように制御し、空気調和機のファンが第２の回転速度で、圧縮機が第２の周波数で、第２の期間T2動作した後に、ファンが第１の回転速度に、圧縮機が第１の周波数に、切り替えて動作するように制御する。
【００９７】
ここで、空気調和機の具体的な性能に基づいて、第１の周波数は圧縮機に対応される低ギア周波数すなわち低周波であり、第２の周波数は高周波であり、第１の回転速度もファンに対応される高ギア回転速度すなわち強風であり、第２の回転速度は弱風である。
【００９８】
ステップ３０９において、ファンの現在の動作モードを維持する。
【００９９】
ここで、ＲＨ１＜ＲＨｄ＜ＲＨ２、且つ、ｐｎ≦４であり、温度をゆっくり下げればよく、ファンの現在の動作モードをそのまま維持すればよい。
【０１００】
ステップ３１０において、空気調和機の圧縮機が第２の周波数で動作するように制御する。
【０１０１】
明らかに、現在の温度値は、高すぎ、さらに温度を続けて下げる必要があるため、圧縮機を高周波で運伝させて、速く温度を下げる。
【０１０２】
上記のように、本実施例において、ファンを含む少なくとも一つのデバイスの動作を制御することによって、空気調和機が動作した後に、現在の温度値および湿度値が設定要件に達するようにすることができて、空気調和機の温度と湿度の両方に対する制御を実現させ、また、湿度偏差に基づいて、ファン動作モードの切り替えを制御することができ、温度と湿度の両方に対する制御の精度をもう一層向上させた。
【０１０３】
実施例３：空気調和機の湿度パラメータに基づいて、現在の温度値および湿度値が設定要件に達するまで、空気調和機の、ファンを含む少なくとも一つのデバイスの現在の動作モードを切り替え、ここで、湿度パラメータは、取得された現在の空気調和機のパイプコイルの温度値と予め設定された目標パイプコイルの温度値との間のパイプコイル温度偏差である。
【０１０４】
図４は、一つの例示的な実施例３に係る空気調和機制御方法の概略フローチャートであり、図４に示されたように、空気調和機を制御する過程は、以下のステップを含む。
【０１０５】
ステップ４０１において、空気調和機の作用領域の現在の温度値および湿度値を取得する。
【０１０６】
温度センサを使用して現在の温度値を取得し、湿度センサを使用して湿度値を取得するか、または、他の方法によって現在の湿度値を取得する。
【０１０７】
ステップ４０２において、現在の温度値および湿度値の中の現在の温度値Ｔｄと設定温度値Ｔｓとの間の温度偏差ｐｎを確定する。
ここで、Ｐｎ＝Ｔｄ−Ｔｓである。
【０１０８】
ステップ４０３において、ｐｎ≦３が成立するか否かを判断し、成立すると、ステップ４０４を実行し、成立しないと、ステップ４１０を実行する。
【０１０９】
設定値が３であり、ｐｎ≦３である場合、すなわち、温度偏差が設定値以下である場合、ステップ４０４を実行し、そうでない場合、ステップ４１０を実行する。
【０１１０】
ステップ４０４において、ＲＨ１＜ＲＨｄ＜ＲＨ２が成立するか否かを判断し、成立しないと、ステップ４０５を実行し、成立すると、ステップ４０９を実行する。
【０１１１】
ステップ４０５において、現在の空気調和機のパイプコイルの温度値と予め設定された目標パイプコイルの温度値との間のパイプコイル温度偏差を、現在の湿度パラメータPCｄとして確定する。
【０１１２】
ここで、設定温度に基づいて目標パイプコイルの温度値を確定し、現在の空気調和機のパイプコイルの温度値を取得することができ、したがって、現在の空気調和機のパイプコイルの温度値と予め設定された目標パイプコイルの温度値との間のパイプコイル温度偏差を、現在の湿度パラメータPCｄとして確定することができる。
【０１１３】
ステップ４０６において、前の一つの制御サイクル対応されるパイプコイル温度偏差PCｍを取得し、パイプコイル温度偏差の変化値ΔPCを確定する。
【０１１４】
前の一つの制御サイクルにおいて、対応されるパイプコイル温度偏差である前のサイクルの湿度パラメータがPCｍである場合、パイプコイル温度偏差の変化値ΔPC ＝PCｄ−PCｍである。
【０１１５】
ステップ４０７において、式（１）に従って、第２の期間T2、および、第１の期間T1を確定する。
【０１１６】
たとえば、PCｄ＝１０、ΔPC＝２であり、Ａ＝４％、Ｂ＝６％、Ｃ＝３００である場合、T2＝０.６８*３００＝２０４秒であり、T1＝T−T2＝９６秒であると確定することができる。
【０１１７】
ステップ４０８において、空気調和機のファンが第１の回転速度で、圧縮機が第１の周波数で、第１の期間T1動作した後に、ファンが第２の回転速度に、圧縮機が第２の周波数に、切り替えて動作するように制御し、また、空気調和機のファンが第２の回転速度で、圧縮機が第２の周波数で、第２の期間T2動作した後に、ファンが第１の回転速度に、圧縮機が第１の周波数に、切り替えて動作するように制御する。
【０１１８】
ここで、空気調和機の具体的な性能に基づいて、第１の周波数は圧縮機に対応される低ギア周波数すなわち低周波であり、第２の周波数は高周波であり、第１の回転速度もファンに対応される高ギア回転速度すなわち強風であり、第２の回転速度は弱風である。
【０１１９】
ステップ４０９において、ファンの現在の動作モードを維持する。
【０１２０】
ここで、 ＲＨ１＜ＲＨｄ＜ＲＨ２、且つ、ｐｎ≦３であり、温度をゆっくり下げればよく、ファンの現在の動作モードをそのまま維持すればよい。
【０１２１】
ステップ４１０において、空気調和機の圧縮機が第２の周波数で動作するように制御する。
【０１２２】
明らかに、現在の温度値は、高すぎ、さらに温度を続けて下げる必要があるため、圧縮機を高周波で運伝させて、速く温度を下げる。
【０１２３】
上記のように、本実施例において、ファンを含む少なくとも一つのデバイスの動作を制御することによって、空気調和機が動作した後に、現在の温度値および湿度値が設定要件に達するようにすることができて、空気調和機の温度と湿度の両方に対する制御を実現させ、また、可根据パイプコイル温度偏差、ファン動作モードの切り替えを制御することができ、温度と湿度の両方に対する制御の精度をもう一層向上させた。
【０１２４】
以下は、本発明の装置の実施例であり、本発明の方法の実施例を実行することができる。
【０１２５】
上述した空気調和機を制御する過程に基づいて、空気調和機を制御する装置を構築することができる。
【０１２６】
図５は、一つの例示的な実施例に係る空気調和機制御装置を示すブロック図である。図５に示されたように、当該装置は、取得ユニット１００と第１の制御ユニット２００とを備え、ここで、
取得ユニット１００は、空気調和機の作用領域の現在の温度値および湿度値を取得する。
【０１２７】
第１の制御ユニット２００は、現在の温度値および湿度値の中の現在の温度値と設定温度値との間の温度偏差が設定値以下であり、且つ、現在の温度値および湿度値の中の現在の湿度値が設定温度値に対応される目標快適湿度範囲内にない場合、設定策略に従って、現在の温度値および湿度値が設定要件に達するまで、空気調和機の、ファンを含む少なくとも一つのデバイスの現在の動作モードを切り替える。
【０１２８】
本発明の一実施例において、第１の制御ユニット２００は、さらに、空気調和機のファンが第１の回転速度で、設定された第１の期間動作した後に、第１の回転速度未満の第２の回転速度に切り替えて動作するように、空気調和機のファンを制御し、また、ファンが第２の回転速度で、設定された第２の期間動作した後に、第１の回転速度に切り替えて動作するように、ファンを制御する。
【０１２９】
本発明の一実施例において、第１の制御ユニット２００は、さらに、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、空気調和機の湿度パラメータに基づいて、現在の温度値および湿度値が設定要件に達するまで、空気調和機の、ファンを含む少なくとも一つのデバイスの現在の動作モードを切り替える。
【０１３０】
本発明の一実施例において、第１の制御ユニット２００は、さらに、空気調和機のファンが、第１の回転速度で第１の期間動作した後に、第１の回転速度未満の第２の回転速度に切り替えて動作するように、空気調和機のファンを制御し、また、ファンが、第２の回転速度で第２の期間動作した後に、第１の回転速度に切り替えて動作するように、ファンを制御し、ここで、前記第２の期間を確定する過程は、現在の湿度パラメータ（PCｄ）と前のサイクルの湿度パラメータ（PCｍ）とに基づいて、湿度パラメータの変化値（ΔPC）を取得し、式（１）に従って、前記第２の期間を確定することを含み、前記第１の期間（T1）は、設定期間、または、設定合計期間（T）と前記第２の期間（T2）との間の差分値であり、
T2＝(A×ΔPC+B*PCd)×C  …  式（１）
ここで、前記T2は、前記第２の期間であり、Ａ、Ｂ、Ｃは、修正する演算パラメータである。
【０１３１】
本発明の一実施例において、第１の制御ユニット２００は、さらに、ファンが第１の回転速度で動作すると、空気調和機の圧縮機の現在の動作周波数を第１の周波数に切り替えて動作させ、ファンが第２の回転速度で動作すると、空気調和機の圧縮機の現在の動作周波数を、第１の周波数以上である第２の周波数に切り替えて動作させる。
【０１３２】
本発明の一実施例において、第２の制御ユニットをさらに備え、当該第２の制御ユニットは、現在の温度値および湿度値の中の現在の温度値と設定温度値との間の温度偏差が設定値よりも大きいと、温度偏差が設定値以下になるまで、空気調和機の圧縮機が設定周波数よりも大きい第２の周波数で動作するように制御する。
【０１３３】
本発明の一実施例において、第３の制御ユニットをさらに備え、当該第３の制御ユニットは、現在の温度値および湿度値の中の現在の温度値と設定温度値との間の温度偏差が設定値以下であり、且つ、現在の温度値および湿度値の中の現在の湿度値が設定温度値に対応される目標快適湿度範囲にある場合、ファンの現在の動作モードを維持する。
以下、例を挙げて、本発明の実施例によって提供される装置を説明する。
【０１３４】
図６は、一つの例示的な実施例に係る空気調和機制御装置を示すブロック図である。図６に示されたように、当該装置は、取得ユニット１００と、第１の制御ユニット２００と、第２の制御ユニット３００と、第３の制御ユニット４００と、を備える。
【０１３５】
当該装置は、設定温度Ｔｓに対応される目標快適湿度範囲（ＲＨ１、ＲＨ２）、および、対応される予め設定された目標パイプコイルの温度値を、予め確定することができる。
【０１３６】
取得ユニット１００は、現在の温度値Ｔｄ、および、現在の湿度値ＲＨｄを取得する。また、当該装置は、現在の温度値および湿度値の中の現在の温度値Ｔｄと設定温度値Ｔｓとの間の温度偏差ｐｎを確定した後、ｐｎ＜２であり、且つ、ＲＨｄが目標快適湿度範囲（ＲＨ１、ＲＨ２）にない場合、第１の制御ユニット２００は、現在の温度値および湿度値が設定要件に達するまで、空気調和機の、ファンを含む少なくとも一つのデバイスの現在の動作モードを切り替えることができる。
【０１３７】
ここで、第１の制御ユニット２００は、空気調和機のファンが、第１の回転速度で、設定された第１の期間動作した後に、第１の回転速度未満の第２の回転速度に切り替えて動作するように、空気調和機のファンを制御し、ファンが、第２の回転速度で、設定された第２の期間動作した後に、第１の回転速度に切り替えて動作するように、ファンを制御し、また、空気調和機の圧縮機の現在の動作周波数を第１の周波数に切り替えて動作させ、ファンが第２の回転速度で動作すると、空気調和機の圧縮機の現在の動作周波数を第１の周波数以上である第２の周波数に切り替えて動作させる。
【０１３８】
または、第１の制御ユニット２００は、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、空気調和機の湿度パラメータに基づいて、空気調和機の、ファンを含む少なくとも一つのデバイスの現在の動作モードを切り替える。具体的には、第１の制御ユニット２００は、空気調和機のファンが第１の回転速度で第１の期間動作した後に、第１の回転速度未満の第２の回転速度に切り替えて動作するように、空気調和機のファンを制御し、また、ファンが、第２の回転速度で第２の期間動作した後に、第１の回転速度に切り替えて動作するように、ファンを制御し、ここで、前記第２の期間を確定する過程は、現在の湿度パラメータ（PCｄ）と前のサイクルの湿度パラメータ（PCｍ）とに基づいて、湿度パラメータの変化値（ΔPC）を取得し、式（１）に従って、前記第２の期間を確定することを含み、前記第１の期間（T1）は、設定期間、または、設定合計期間（T）と前記第２の期間（T2）との間の差分値であり、
T2＝(A×ΔPC+B*PCd)×C  …  式（１）
ここで、前記T2は、前記第２の期間であり、Ａ、Ｂ、Ｃは、修正する演算パラメータである。
【０１３９】
当然ながら、圧縮機の制御を、ファンによって切り替えてもよい。
【０１４０】
ｐｎ＞２である場合、第２の制御ユニット３００は、温度偏差が設定値以下になるまで、空気調和機の圧縮機が、設定周波数よりも大きい第２の周波数で動作するように制御することができる。
【０１４１】
ｐｎ＜２であり、且つ、ＲＨｄが目標快適湿度範囲（ＲＨ１、ＲＨ２）にある場合、第３の制御ユニット４００は、ファンの現在の動作モードを維持することができる。
【０１４２】
上記のように、本実施例において、ファンを含む少なくとも一つのデバイスの動作を制御することによって、空気調和機が動作した後に、現在の温度値および湿度値が設定要件に達するようにすることができて、空気調和機の温度と湿度の両方に対する制御を実現させ、また、設定期間の策略に従って、ファン動作モードの切り替えを制御することができ、温度と湿度の両方に対する制御の効率をもう一層向上させた。湿度偏差またはパイプコイル温度偏差に基づいてファンの動作モードの切り替えを制御することもできて、温度と湿度の両方に対する制御の精度をもう一層向上させた。
【０１４３】
当業者は、本発明の実施例を、方法、システム、または、コンピュータプログラム製品として提供することができることを理解するはずである。このため、本発明は、完全にハードウェアの実施例、完全にソフトウェアの実施例、または、ソフトウェアとハードウェアを組み合わせた実施例の形をとってもよい。なお、本発明は、コンピュータ使用可能プログラムコードを含む一つまたは複数のコンピュータ使用可能記憶媒体（ディスク記憶装置、光学記憶装置などを含むがこれらに限定されない）上で実施されるコンピュータプログラム製品の形をとってもよい。
【０１４４】
本発明は、本発明の実施例に係る方法、設備（システム）、および、コンピュータプログラム製品のフローチャート及び／又はブロック図を参照して説明される。コンピュータプログラム命令によって、フローチャート及び／又はブロック図中の各流れ及び／又はブロック、および、フローチャート及び／又はブロック図中の流れ及び／又はブロックの組み合わせを実現することができることを理解すべきである。これらコンピュータプログラム命令を、汎用コンピュータ、専用コンピュータ、組み込みプロセッサ、または、他のプログラム可能なデータ処理設備のプロセッサに提供して一つの機器を生成することによって、コンピュータまたは他のプログラム可能なデータ処理設備のプロセッサによって実行される命令が、フローチャートの一つの流れまたは複数の流れ、及び／又は、ブロック図または一つのブロックまたは複数のブロック中で指定された機能を実現する装置を生成するようにする。
【０１４５】
これらコンピュータプログラム命令は、コンピュータまたは他のプログラム可能なデータ処理設備に特定の方法で動作するように指示するコンピュータ可読メモリに格納されて、当該コンピュータ可読メモリに格納された命令が命令装置を含む製品を生成するようにし、ここで、当該命令装置はフローチャートの一つの流れまたは複数の流れ、及び／又は、ブロック図の一つのブロックまたは複数のブロック中で指定された機能を実現する。
【０１４６】
これらコンピュータプログラム命令は、コンピュータまたは他のプログラム可能なデータ処理設備上にロードされて、コンピュータまたは他のプログラム可能な設備上で一連の操作ステップを実行してコンピュータによって実現される処理を生成し、コンピュータまたは他のプログラム可能な設備上で実行する命令によって、フローチャートの一つの流れまたは複数の流れ、及び／又は、ブロック図の一つのブロックまたは複数のブロック中で指定された機能を実現するためのステップを提供する。
【０１４７】
本発明は、上述した説明及び図面に示される流れや構成に限らず、その範囲から逸脱しない範囲で各種の補正及び変更を行うことができると理解すべきである。本発明の範囲は、特許請求の範囲のみに限定される。
【図１】
2020532700.tif 000004
【図２】
2020532700.tif 000005
【図３】
2020532700.tif 000006
【図４】
2020532700.tif 000007
【図５】
2020532700.tif 000008
【図６】
2020532700.tif 000009
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
空気調和機を制御する方法であって、
前記空気調和機の作用領域の現在の温度値および湿度値を取得するステップと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるステップと、を含む
ことを特徴とする空気調和機を制御する方法。
【請求項２】
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、設定策略に従って、前記現在の温度値および湿度値が設定要件に達するまで、前記空気調和機の、ファンを含む少なくとも一つのデバイスの現在の動作モードを切り替えるステップをさらに含む
ことを特徴とする請求項１に記載の空気調和機を制御する方法。
【請求項３】
前記設定策略に従って、前記空気調和機の、ファンを含む少なくとも一つのデバイスの現在の動作モードを切り替えるステップは、
前記空気調和機のファンが、第１の回転速度で、設定された第１の期間動作した後に、第１の回転速度未満の第２の回転速度に切り替えて動作するように、前記空気調和機のファンを制御するステップと、
前記のファンが、第２の回転速度で、設定された第２の期間動作した後に、第１の回転速度に切り替えて動作するように、前記のファンを制御するステップと、を含む
ことを特徴とする請求項２に記載の空気調和機を制御する方法。
【請求項４】
前記空気調和機の湿度パラメータに基づいて、前記現在の温度値および湿度値が設定要件に達するまで、前記空気調和機の、ファンを含む少なくとも一つのデバイスの現在の動作モードを切り替えるステップは、
前記空気調和機のファンが、第１の回転速度で第１の期間動作した後に、第１の回転速度未満の第２の回転速度に切り替えて動作するように、前記空気調和機のファンを制御するステップと、
前記のファンが、第２の回転速度で第２の期間動作した後に、第１の回転速度に切り替えて動作するように、前記のファンを制御するステップと、を含み、
ここで、前記第２の期間を確定する過程は、
現在の湿度パラメータ（PCｄ）と前のサイクルの湿度パラメータ（PCｍ）とに基づいて、湿度パラメータの変化値（ΔPC）を取得し、
式（１）に従って、前記第２の期間を確定することを含み、
T2＝(A×ΔPC+B*PCd)×C  …  式（１）
ここで、前記T2は、前記第２の期間であり、Ａ、Ｂ、Ｃは、修正する演算パラメータであり、
前記第１の期間（T1）は、設定期間、または、設定合計期間（T）と前記第２の期間（T2）との間の差分値である
ことを特徴とする請求項１に記載の空気調和機を制御する方法。
【請求項５】
前記前記空気調和機の、ファンを含む少なくとも一つのデバイスの現在の動作モードを切り替えるステップは、
前記ファンが第１の回転速度で動作すると、前記空気調和機の圧縮機の現在の動作周波数を、第１の周波数に切り替えて動作させるステップと、
前記ファンが第２の回転速度で動作すると、前記空気調和機の圧縮機の現在の動作周波数を、前記第１の周波数以上である第２の周波数に切り替えて動作させるステップと、をさらに含む
ことを特徴とする請求項３又は４に記載の空気調和機を制御する方法。
【請求項６】
前記現在の温度値および湿度値の中の現在の温度値と設定温度値との間の温度偏差が設定値よりも大きいと、前記温度偏差が設定値以下になるまで、前記空気調和機の圧縮機が設定周波数よりも大きい第２の周波数で動作するように、前記空気調和機の圧縮機を制御するステップをさらに含む
ことを特徴とする請求項１に記載の空気調和機を制御する方法。
【請求項７】
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にある場合、前記ファンの現在の動作モードを維持するステップをさらに含む
ことを特徴とする請求項１に記載の空気調和機を制御する方法。
【請求項８】
空気調和機を制御する装置であって、
前記空気調和機の作用領域の現在の温度値および湿度値を取得するための取得ユニットと、
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にない場合、取得された現在の湿度値と予め設定された目標湿度との間の湿度偏差、または、取得された現在の空気調和機のパイプコイルの温度値と予め設定された目標パイプコイルの温度値との間のパイプコイル温度偏差を含む、前記空気調和機の湿度パラメータに基づいて、前記現在の温度値および湿度値が設定要件に達するまで、前記空気調和機の、ファンを含む少なくとも一つのデバイスの現在の動作モードを切り替えるための第１の制御ユニットと、を備える
ことを特徴とする空気調和機を制御する装置。
【請求項９】
前記第１の制御ユニットは、さらに、現在の温度値および湿度値の中の現在の温度値と設定温度値との間の温度偏差が設定値以下であり、且つ、現在の温度値および湿度値の中の現在の湿度値が設定温度値に対応される目標快適湿度範囲内にない場合、設定策略に従って、現在の温度値および湿度値が設定要件に達するまで、空気調和機の、ファンを含む少なくとも一つのデバイスの現在の動作モードを切り替える
ことを特徴とする請求項８に記載の空気調和機を制御する装置。
【請求項１０】
前記第１の制御ユニットは、さらに、前記空気調和機のファンが、第１の回転速度で、設定された第１の期間動作した後に、第１の回転速度未満の第２の回転速度に切り替えて動作するように、前記空気調和機のファンを制御し、または、前記のファンが、第２の回転速度で、設定された第２の期間動作した後に、第１の回転速度に切り替えて動作するように、前記のファンを制御する
ことを特徴とする請求項９に記載の空気調和機を制御する装置。
【請求項１１】
前記第１の制御ユニットは、さらに、前記空気調和機のファンが、第１の回転速度で第１の期間動作した後に、第１の回転速度未満の第２の回転速度に切り替えて動作するように、前記空気調和機のファンを制御し、また、前記のファンが、第２の回転速度で第２の期間動作した後に、第１の回転速度に切り替えて動作するように、前記のファンを制御し、ここで、前記第２の期間を確定する過程は、現在の湿度パラメータ（PCｄ）と前のサイクルの湿度パラメータ（PCｍ）とに基づいて、湿度パラメータの変化値（ΔPC）を取得し、式（１）に従って、前記第２の期間を確定することを含み、前記第１の期間（T1）は、設定期間、または、設定合計期間（T）と前記第２の期間（T2）との間の差分値であり、
T2＝(A×ΔPC+B*PCd)×C  …  式（１）
ここで、前記T2は、前記第２の期間であり、Ａ、Ｂ、Ｃは、修正する演算パラメータである
ことを特徴とする請求項８に記載の空気調和機を制御する装置。
【請求項１２】
前記第１の制御ユニットは、さらに、前記ファンが第１の回転速度で動作すると、前記空気調和機の圧縮機の現在の動作周波数を、第１の周波数に切り替えて動作させ、前記ファンが第２の回転速度で動作すると、前記空気調和機の圧縮機の現在の動作周波数を、前記第１の周波数以上である第２の周波数に切り替えて動作させる
ことを特徴とする請求項１０または１１に記載の空気調和機を制御する装置。
【請求項１３】
前記現在の温度値および湿度値の中の現在の温度値と設定温度値との間の温度偏差が設定値よりも大きいと、前記温度偏差が設定値以下になるまで、前記空気調和機の圧縮機が設定周波数よりも大きい第２の周波数で動作するように、前記空気調和機の圧縮機を制御するための第２の制御ユニットをさらに備える
ことを特徴とする請求項８に記載の空気調和機を制御する装置。
【請求項１４】
前記現在の温度値および湿度値の中の現在の温度値と設定温度値との間の温度偏差が設定値以下であり、且つ、前記現在の温度値および湿度値の中の現在の湿度値が前記設定温度値に対応される目標快適湿度範囲内にある場合、前記ファンの現在の動作モードを維持するための第３の制御ユニットをさらに備える
ことを特徴とする請求項８に記載の空気調和機を制御する装置。
【手続補正３】
【補正対象書類名】明細書
【補正対象項目名】０００３
【補正方法】変更
【補正の内容】
【０００３】
本発明は、空気調和機の技術分野に関し、特に、空気調和機を制御する方法、及び装置に関する。
【手続補正４】
【補正対象書類名】明細書
【補正対象項目名】０００６
【補正方法】変更
【補正の内容】
【０００６】
本発明の実施例は、空気調和機を制御する方法、及び装置を提供する。開示する実施例のいくつかの態様に対する基本的な理解のために、簡単な概要を以下に示す。当該概要の部分は、簡単な評述でもなく、鍵となる構成要素／重要な構成要素を特定しようとするものでもなく、これら実施例の保護範囲を説明するものでもない。その唯一の目的は、後述するより詳細な説明の前置きとして、簡略化された形式でいくつかの概念を提示することである。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００３０
【補正方法】変更
【補正の内容】
【００３０】
従って、格納した温度と湿度範囲との対応関係は、表１に示されたものであってもよい。
【表１】
2020532700.tif 000010
【手続補正８】
【補正対象書類名】明細書
【補正対象項目名】００３３
【補正方法】削除
【補正の内容】
【国際調査報告】
2020532700.tif 000011
2020532700.tif 000012
2020532700.tif 000013
2020532700.tif 000014
2020532700.tif 000015
2020532700.tif 000016